(57)【要約】【課題】  本発明は、電線の端末を装着しやすくすることにより電線の端末処理の作業性を改善することができる電線端末カバーを提供することを課題とする。【解決手段】  異なる線径の電線に対応してその端末を収納可能な収納部８を複数有する電線端末カバー１において、第１構成体２と、第２構成体３と、第１構成体２及び第２構成体３を開閉自在に連結可能な連結部４とを更に備え、収納部８は、第１構成体２と第２構成体３とを閉じた状態で略筒形状に形成され、複数の収納部８は、筒芯方向と直交する方向Ａに並んで設けられると共に、第１構成体２と第２構成体３とを閉じた状態で電線の端末を収納すべく、第１構成体２と第２構成体３とに分かれて形成されることを特徴とする。【選択図】  図１
2011193599.tif 000002
【特許請求の範囲】
【請求項１】
異なる線径の電線に対応してその端末を収納可能な収納部を複数有する電線端末カバーにおいて、
第１構成体と、第２構成体と、第１構成体及び第２構成体を開閉自在に連結可能な連結部とを更に備え、
収納部は、第１構成体と第２構成体とを閉じた状態で略筒形状に形成され、
複数の収納部は、筒芯方向と直交する方向に並んで設けられると共に、第１構成体と第２構成体とを閉じた状態で電線の端末を収納すべく、第１構成体と第２構成体とに分かれて形成されることを特徴とする電線端末カバー。
【請求項２】
異なる線径の電線に対応してその端末を収納可能な収納部を複数有する電線端末カバーにおいて、
第１構成体と、第２構成体と、第１構成体及び第２構成体を開閉自在に連結可能な連結部とを更に備え、
収納部は、第１構成体と第２構成体とを閉じた状態で略筒形状に形成され、
複数の収納部は、筒芯方向に沿って並んで設けられると共に、第１構成体と第２構成体とを閉じた状態で電線の端末を収納すべく、第１構成体と第２構成体とに分かれて形成されることを特徴とする電線端末カバー。
【請求項３】
収納部は、第１構成体と第２構成体とを閉じた状態で略円筒形状に形成され、且つ、第１構成体と第２構成体とに分かれて形成される部分の円弧の長さが異なる比率で形成され、少なくとも第１構成体及び第２構成体のうち円弧の長さが長い構成体が弾性変形可能に構成されてなる請求項１又は２に記載の電線端末カバー。
【請求項４】
所定の工具を用いて第１構成体と第２構成体とを開閉操作する操作部を更に備える請求項１〜３のいずれか１項に記載の電線端末カバー。
【請求項５】
操作部は、第１構成体及び第２構成体に設けられ、且つ、絶縁操作棒の先端に設けられる間接活線把持工具の先端を挿入可能な凹部を有する請求項４に記載の電線端末カバー。
【請求項６】
水の浸入を防止すべく、電線の端末の形状に応じて変形可能な防水手段を更に備える請求項１〜５のいずれか１項に記載の電線端末カバー。
【発明の詳細な説明】
【技術分野】
【０００１】
本発明は、電線端末の導電部を覆うことにより電線の端末処理を行う電線端末カバーに関し、特に、線径の異なる電線に対応可能な電線端末カバーに関する。
【背景技術】
【０００２】
従来から、引留クランプを用いて電柱に引留固定する高圧絶縁電線の引留部において、引留クランプの把持部より突出する高圧絶縁電線の端末は、電気的絶縁性を確保するために電線端末カバーで覆って保護されている。また、停電作業などで電柱を挟んで両側の引留クランプ間を接続する縁回し線を切断したような際も、その高圧絶縁電線の切断個所の端末は、同じように電線端末カバーで覆って保護されている。
【０００３】
このような電線端末カバーには、電線を収納可能な収納部を１つ有する電線端末カバー（特許文献１，２参照）や、２以上の異なる電線の線径に対応して複数の収納部を有する電線端末カバー（後述する図１３の例及び特許文献３参照）など様々なものがある。
【０００４】
例えば、特許文献１に示す電線端末カバーは、有底筒状の収納部を１つ備え、その収納部の開口部にストッパーが装着されている。特許文献２に示す電線端末カバーは、収納部の内周面に突起が複数中心方向に向けて設けられている。これらの電線端末カバーは、このストッパー又は突起が変位することによって電線の線径に左右されることなく異なる線径の電線に使用できる。
【０００５】
図１３に示す複数の収納部を有する電線端末カバー４００は、有底筒状に形成されており、異なる電線の線径に対応して異なる内径を有する筒状形状の収納部４０１を複数備え、これらの収納部４０１が筒芯方向Ａに沿って開口部４０２から底部４０３に向かって内径が小さくなるように並んで設けられる。このように収納部４０１を配列することにより、電線端末カバー４００は、最も開口部４０２側にある収納部４０１で最も太い線径の電線に対応し、最も底部４０３側の収納部４０１で最も細い線径の電線に対応する。図１３に示す電線端末カバー４００の例は、４つの線径に対応している。また、特許文献３に示す電線端末カバーも同様である。
【先行技術文献】
【特許文献】
【０００６】
【特許文献１】特開平０８−２０５３７１号公報
【特許文献２】特開平０９−２３３６６６号公報
【特許文献３】特開２００３−１４３７４５号公報
【発明の概要】
【発明が解決しようとする課題】
【０００７】
しかし、図１３で示した電線端末カバー４００は、最も開口部４０２側の収納部４０１に対応する線径以下の線径の電線に用いる場合、電線の線径に対応した収納部４０１より開口部４０２側の他の収納部４０１と電線との間に隙間ができる。この隙間は、電線の線径に対応した収納部４０１よりも開口部４０２側の他の収納部４０１の方が電線の線径より大きいために発生する。この隙間から電線端末カバー４００の内部に水が浸入しないように、通常は、電線端末カバー４００の開口部４０２と電線とに跨って絶縁テープが巻かれる。電線と開口部４０２側の収納部４０１との間に隙間が開いたままでは、電線の外周面と電線端末カバー４００の開口部４０２の外周面とに段差が形成され、絶縁テープが巻きにくい。このようなときは、電線の線径に対応した収納部４０１より開口部４０２側の他の収納部４０１を切断し、電線の外周面と電線端末カバー４００の開口部４０２の外周面との段差を下げて使用される。
【０００８】
更に、この電線端末カバー４００は、電線の端末に対して開口部４０２側を向けて収納部４０１に挿入することによって、電線の端末を覆うものである。収納部４０１に電線の端末を挿入する際、電線の線径に対応した収納部４０１よりも開口部４０２側の他の収納部４０１を切断した後の電線端末カバー４００の収納部４０１と電線との間には、ほとんど隙間が空いていない。電線端末カバー４００は、電線の端末を収納部４０１の底部４０３まで挿入するためには、タイスティックを取り付けた共用操作棒やストレーリングトングなどを用いて底部４０３側から叩くなどして挿入しなければならない。他の収納部４０１を切断して用いる電線端末カバー４００は、その切断面が歪になっていることもあり、更に挿入しにくくなる。電線端末カバー４００を電線の端末に装着する作業は、このように手間のかかるものであった。
【０００９】
そこで、本発明は、上述した問題に鑑み、電線の端末を装着しやすくすることにより電線の端末処理の作業性を改善することができる電線端末カバーを提供することを課題とする。
【課題を解決するための手段】
【００１０】
本発明に係る電線端末カバーは、異なる線径の電線に対応してその端末を収納可能な収納部を複数有する電線端末カバーにおいて、第１構成体と、第２構成体と、第１構成体及び第２構成体を開閉自在に連結可能な連結部とを更に備え、収納部は、第１構成体と第２構成体とを閉じた状態で略筒形状に形成され、複数の収納部は、筒芯方向と直交する方向に並んで設けられると共に、第１構成体と第２構成体とを閉じた状態で電線の端末を収納すべく、第１構成体と第２構成体とに分かれて形成されることを特徴とする。
【００１１】
かかる構成によれば、収納部が異なる線径の電線に対応して複数設けられており、端末処理が必要な電線の線径に適した収納部を選んで装着することができる。収納部は、第１構成体と第２構成体とが開いた状態では、第１構成体と第２構成体とに分かれて形成される。この第１構成体及び第２構成体のいずれか一方に電線の端末を沿わせる。この状態から、第１構成体と第２構成体とを閉じることにより、電線を沿わせた一方の構成体に他方の構成体が合わさって収納部が形成される。このようにして、電線は、この収納部の内部に収納される。すなわち、従来のように電線端末カバーの筒芯方向から収納部に向けて電線の端末を挿入する必要はなく、電線をその線径に対応した収納部に収納することが容易にできる。よって、電線端末カバーに電線の端末を装着しやすくすることにより電線の端末処理の作業性を改善することができる。
【００１２】
本発明に係る電線端末カバーは、異なる線径の電線に対応してその端末を収納可能な収納部を複数有する電線端末カバーにおいて、第１構成体と、第２構成体と、第１構成体及び第２構成体を開閉自在に連結可能な連結部とを更に備え、収納部は、第１構成体と第２構成体とを閉じた状態で略筒形状に形成され、複数の収納部は、筒芯方向に沿って並んで設けられると共に、第１構成体と第２構成体とを閉じた状態で電線の端末を収納すべく、第１構成体と第２構成体とに分かれて形成されることを特徴とする。
【００１３】
かかる構成によれば、収納部が異なる線径の電線に対応して複数設けられており、端末処理が必要な電線の線径に適した収納部を選んで装着することができる。収納部は、第１構成体と第２構成体とが開いた状態では、第１構成体と第２構成体とに分かれて形成される。この第１構成体及び第２構成体のいずれか一方に電線の端末を沿わせる。この状態から、第１構成体と第２構成体とを閉じることにより、電線を沿わせた一方の構成体に他方の構成体が合わさって収納部が形成される。このようにして、電線は、この収納部の内部に収納される。すなわち、従来のように電線端末カバーの筒芯方向から収納部に向けて電線の端末を挿入する必要はなく、電線をその線径に対応した収納部に収納することが容易にできる。よって、電線端末カバーに電線の端末を装着しやすくすることにより電線の端末処理の作業性を改善することができる。
【００１４】
本発明に係る電線端末カバーの複数の収納部は、第１構成体と第２構成体とを閉じた状態で略円筒形状に形成され、且つ、第１構成体と第２構成体とに分かれて形成される部分の円弧の長さが異なる比率で形成され、少なくとも第１構成体及び第２構成体のうち円弧の長さが長い構成体が弾性変形可能に構成されてなることが好ましい。
【００１５】
かかる構成によれば、第１構成体と第２構成体とに分かれて形成される部分の円弧の長さの比率が異なるため、少なくとも第１構成体及び第２構成体のうち円弧の長さが長い構成体が電線の端末を少なくとも中心角１８０度以上の外周面で覆うことができる。この円弧の長さが長い構成体は、円弧の一端と他端との離間距離が電線の直径より短く形成される。この円弧の長さが長い構成体は、弾性変形可能であるため、この離間距離を拡げる方向に弾性変形させることにより、この円弧の長さが長い構成体に電線の端末を沿わせることができる。円弧の長さの長い構成体がこの状態から弾性変形前に戻ることにより、この円弧の長さの長い構成体に沿わせた電線の端末は、円弧の一端と他端との離間距離が電線の直径より再び短くなるため、電線の端末が抜け落ちるのを防止できる。作業者は、その構成体に電線を沿わせて一方の構成体と他方の構成体とを閉じることによって電線の端末を電線端末カバーに装着するまでの間、電線を保持し続ける必要がなくなる。よって、電線端末カバーに電線の端末を装着しやすくすることにより電線の端末処理の作業性を改善することができる。
【００１６】
本発明に係る電線端末カバーは、所定の工具を用いて第１構成体と第２構成体とを開閉操作する操作部を更に備えることが好ましい。
【００１７】
かかる構成によれば、操作部を用いることにより、第１構成体と第２構成体との開閉操作を行うことができ、間接活線作業で導電部を有する電線の端末を覆うことができる。よって、このような間接活線作業においても、電線端末カバーに電線の端末を装着しやすくすることにより、更に、電線の端末処理の作業性を改善することができる。
【００１８】
本発明に係る電線端末カバーの操作部は、第１構成体及び第２構成体に設けられ、且つ、絶縁操作棒の先端に設けられる間接活線把持工具の先端を挿入可能な凹部を有することが好ましい。
【００１９】
かかる構成によれば、間接活線把持工具の先端を凹部に挿入することにより、間接活線把持工具の開閉と連動して、第１構成体及び第２構成体の開閉を操作することができる。よって、このような間接活線作業においても、電線端末カバーに電線の端末を装着しやすくすることにより、更に、電線の端末処理の作業性を改善することができる。
【００２０】
本発明に係る電線端末カバーは、水の浸入を防止すべく、電線の端末の形状に応じて変形可能な防水手段を更に備えることが好ましい。
【００２１】
かかる構成によれば、電線と開口部との間の隙間が防水手段で塞がれるため、電線と電線端末カバーとに跨って絶縁テープを巻き付ける手間を省くことができる。よって、電線端末カバーに電線の端末を装着しやすくすることにより、更に、電線の端末処理の作業性を改善することができる。
【発明の効果】
【００２２】
以上の如く、本発明に係る電線端末カバーによれば、電線の端末を装着しやすくすることにより電線の端末処理の作業性を改善することができるという優れた効果を奏する。
【図面の簡単な説明】
【００２３】
【図１】（ａ）は、第１実施形態に係る電線端末カバーの第１構成体と第２構成体とを閉じた状態にある正面図、（ｂ）は、同状態にある平面図、を示す。
【図２】（ａ）は、同実施形態に係る電線端末カバーの第１構成体と第２構成体とを閉じた状態にある左側面図、（ｂ）は、同状態にある底面図、を示す。
【図３】（ａ）は、同実施形態に係る電線端末カバーの第１構成体と第２構成体とを開いた状態にある正面図、（ｂ）は、同状態にある平面図、（ｃ）は、同状態にある底面図、を示す。
【図４】同実施形態に係る電線端末カバーの第１構成体と第２構成体とを開いた状態から閉じる過程を表す図を示す。
【図５】（ａ）は、第２実施形態に係る電線端末カバーの第１構成体と第２構成体とを閉じた状態にある正面図、（ｂ）は、同状態にある平面図、を示す。
【図６】（ａ）は、同実施形態に係る電線端末カバーの第１構成体と第２構成体とを閉じた状態にある左側面図、（ｂ）は、同状態にある底面図、を示す。
【図７】（ａ）は、同実施形態に係る電線端末カバーの第１構成体と第２構成体とを開いた状態にある正面図、（ｂ）は、同状態にある平面図、（ｃ）は、同状態にある底面図、を示す。
【図８】同実施形態に係る電線端末カバーの第１構成体と第２構成体とを開いた状態から閉じる過程を表す図を示す。
【図９】（ａ）は、第３実施形態に係る電線端末カバーの第１構成体と第２構成体とを閉じた状態にある正面図、（ｂ）は、同状態にある平面図、（ｃ）は、同状態にある左側面図、を示す。
【図１０】（ａ）は、同実施形態に係る電線端末カバーの第１構成体と第２構成体とを開いた状態にある正面図、（ｂ）は、同状態にある平面図、を示す。
【図１１】同実施形態に係る電線端末カバーの第１構成体と第２構成体とを開いた状態から閉じる過程を表す図を示す。
【図１２】（ａ）は、その他の実施形態に係る電線端末カバーの第１構成体と第２構成体とを閉じた状態にある正面図、（ｂ）は、同状態にある平面図、を示す。
【図１３】従来の電線端末カバーの半断面図を示す。
【発明を実施するための形態】
【００２４】
以下、本発明に係る電線端末カバーの第１実施形態について、図面を参酌しつつ、説明する。
【００２５】
＜第１実施形態＞
まず、同実施形態に係る電線端末カバーの構成について、図１〜図３を参酌しつつ説明する。図１〜図２は、同実施形態に係る電線端末カバー１を閉じた状態を示す図である。図１（ａ）は、正面図、同図（ｂ）は、平面図、図２（ａ）は、左側面図、同図（ｂ）は、底面図である。図３は、同実施形態に係る電線端末カバー１を開いた状態を示す図である。同図（ａ）は、正面図、同図（ｂ）は、平面図、同図（ｃ）は、底面図である。
【００２６】
同実施形態に係る電線端末カバー１は、電線の外径と略同一の内径を有する円筒形状に２つの構成体の組み合わせによって形成可能な第１構成体２及び第２構成体３と、該第１構成体２及び該第２構成体３を開閉自在に連結可能な連結部４と、第１構成体２及び第２構成体３を閉じた状態で閉止可能な閉止部５と、所定の工具を用いて第１構成体２と第２構成体３とを開閉操作する操作部６と、水の浸入を防止すべく、電線の端末の形状に応じて変形可能な防水手段７とを備える。本実施形態では、第１構成体２、第２構成体３、連結部４、閉止部５及び操作部６は、一体で成形されており、電線の端末の導電部を絶縁するために合成樹脂などの絶縁性材料で成形されている。
【００２７】
第１構成体２及び第２構成体３は、それぞれ断面形状が円弧状に形成された部分を複数備え、各円弧の内面が同じ方向に向き且つ円弧の一端及び他端がすべて同一直線上に並ぶように配置されて形成されている。第１構成体２及び第２構成体３は、この円弧の内側同士を向かい合わせにして重ね合わせることにより略筒形状の収納部８，８，８を複数形成する。以下、第１構成体２及び第２構成体３を重ね合わせたこの状態を「第１構成体２と第２構成体３とを閉じた状態」（図１及び図２の状態）と称し、第１構成体２及び第２構成体３を重ね合わせた状態で筒芯方向（矢印Ａの指す方向）の向かい合う一方の縁を軸に他方の縁をそれぞれ離間する方向に回動させた（図４で矢印Ｄの指す方向）状態を「第１構成体２と第２構成体３とを開いた状態」（図３の状態）と称する。
【００２８】
収納部８，８，８は、異なる線径の電線に対応してその端末を収納することができるように、それぞれ異なる線径の電線に対応して複数備えている。これらの収納部８，８，８は、それぞれ筒芯方向と直交する幅方向（矢印Ｂの指す方向）に並んで設けられると共に、第１構成体２と第２構成体３とを閉じた状態で電線の端末を収納すべく、第１構成体２と第２構成体３とに分かれて形成される。本実施形態に係る収納部８，８，８は、３つの異なる電線の線径に対応しており、具体的には、公称断面積２００ｍｍ2、５８ｍｍ2、２５ｍｍ2に対応している。なお、ここで挙げる公称断面積（又は線径）は、これに限定されるものではなく、適宜変更することができる。対応可能な電線の種類についても、３つに限定されるものではなく、２つ以上で必要に応じて増減させることも可能である。収納部８の筒芯方向の長さは、これらの公称断面積の違いを明確に示すために、異なる長さに設定されている。具体的には、線径の最も細い２５ｍｍ2の電線を収納する収納部８が最も短くなっており、線径の最も太い２００ｍｍ2の電線を収納する収納部８が最も長くなっている。これは、収納部８，８，８の内面と電線の端末の外周面との接触範囲を線径の太いものほど多くすることにより、自重により抜けにくくすることも考慮したものである。
【００２９】
第１構成体２及び第２構成体３は、組み合わせることによって異なる線径の電線に対応して収納可能な円筒形状の収納部８，８，８を複数形成可能な構成部２１，…，３１，…と、該構成部２１，…，３１，…の強度を隣接する構成部２１，…，３１，…と相互に補い合うべく構成部２１，…，３１，…の側面と隣接する構成部２１，…，３１，…の側面とを結合する補強部２２，２２，３２，３２と、複数の構成部２１，…，３１，…の一端を筒芯方向と直交する方向Ｂに並べて接続する防水手段保持部２３，３３とを備える。
【００３０】
各構成部２１，…，３１，…は、断面形状が円弧状に形成されると共に、所定長さ連続して形成される分割円筒部２１ａ，…，３１ａ，…と、該分割円筒部２１ａ，…，３１ａ，…の筒芯方向Ａの一端部を塞ぐ底部２１ｂ，…，３１ｂ，…と、分割円筒部２１ａ，…，３１ａ，…の筒芯方向Ａの他端部に形成される開口端部２１ｃ，…，３１ｃ，…とを備える。分割円筒部２１ａ，…，３１ａ，…は、第１構成体２と第２構成体３とを組み合わせた状態では、電線の端末（電線の端末が導体を露出させているときなどのように、電線の端末と端末に連続する導体被覆部分とでその線径が異なる場合は、その導体被覆部分を含める）の外周面と当接する部分となる。底部２１ｂ，…，３１ｂ，…は、電線の端末の先端と当接若しくは対向する部分となる。開口端部２１ｃ，…，３１ｃ，…は、電線をこの収納部８，…から引き出すための開口となる部分となり、電線を通して収納部８，…の内部から外部に通す部分となる。本実施形態に係る第１構成体２及び第２構成体３の分割円筒部２１ａ，…，３１ａ，…は、断面形状が半円の円弧状に形成される。このように、分割円筒部２１ａ，…，３１ａ，…は、円弧の一端と他端との最短の離間距離が電線（若しくは電線の端末）の外形の直径と略同一となっている。
【００３１】
補強部２２，…，３２，…は、分割円筒部２１ａ，…，３１ａ，…の筒芯方向Ａの縁とその隣り合う分割円筒部２１ａ，…，３１ａ，…の縁とを、開口端部２１ｃ，…，３１ｃ，…側から底部２１ｂ，…，３１ｂ，…側に向かって分割円筒部２１ａ，…，３１ａ，…と面する範囲を結合する。補強部２２，…は、分割円筒部２１ａ，…，３１ａ，…と隣接する他の分割円筒部２１ａ，…，３１ａ，…とを結合することにより、剛性が高くなっている。
【００３２】
防水手段保持部２３，３３は、第１構成体２及び第２構成体３を閉じた状態で、収納部８，…に収納された電線の端末以外の部分を電線端末カバー１の外に出すと共に、防水手段７を保持する保持部本体２３ａ，３３ａと、第１構成体２及び第２構成体３を閉じた状態で収納部８，…と保持部本体２３ａ，３３ａとの収納空間が連続するように形成する連絡開口２３ｂ，３３ｂと、該連絡開口２３ｂ，３３ｂが設けられた面（上面）と対向する面（下面）の略全面に設けられる開口２３ｃ，３３ｃとを備える。防水手段保持部２３，３３は、収納部８，…に収納された電線の端末以外の電線の部分を収納部８，…の外部に出すために、電線の端末を第１構成体２と第２構成体３との分割円筒部２１ａ，…，３１ａ，…に沿わせ、電線の端末以外の電線部分を分割円筒部２１ａ，…，３１ａ，…から連絡開口２３ｂ，…，３３ｂ，…に跨いで開口２３ｃ，３３ｃまで沿わせることができるようになっている。
【００３３】
連結部４は、筒芯方向Ａの長さが最も長い分割円筒部２１ａ，…，３１ａ，…の側面に連続して可撓部材４が設けられる。可撓部材４は、容易に曲げることができる材質で成形されている。この可撓部材４は、第１構成体２と第２構成体３とを、分割円筒部２１ａ，…，３１ａ，…毎に対応する電線の端末の線径がそれぞれ一致するように連結する。
【００３４】
分割円筒部２１ａ，…，３１ａ，…は、筒芯方向Ａの長さが最も短いものから順に長くなるように配置したが、開閉に伴う負担が大きい可撓部材４が設けられる範囲を広くすると共に、分割円筒部２１ａ，…，３１ａ，…間の補強部２２，…，３２，…が設けられる範囲も広くするためであるが、これに限定されるものではない。
【００３５】
閉止部５は、第１構成体２及び第２構成体３の保持部本体２３ａ，３３ａの可撓部材４が設けられた面と対向する面に直交する方向Ｂにそれぞれが向かい合うように突出した閉止部本体５１，５１と、第１構成体２の閉止部本体５１の第２構成体３と対向する面に設けられる円錐台形状の突起部５２と、第２構成体３の閉止部本体５１の第１構成体２と対向する面に設けられ、突起部５２を差し込み可能な係止口５３とを備える。なお、係止口５３は、突起部５２の突出量に応じた深さを有する係止穴であってもよい。
【００３６】
操作部６は、第１構成体２及び第２構成体３の保持部本体２３ａ，３３ａの外周面に設けられ、収納部８の筒芯方向に直交する幅方向Ｂに連続的に形成されると共に、第１構成体２と第２構成体３とを分割する分割面に直交する方向（矢印Ｃの指す方向）に突出する板状の部材である。操作部６は、絶縁ヤットコなどの間接活線把持工具などの工具で把持して、第１構成体２と第２構成体３とを開閉操作する。また、第１構成体２と第２構成体３とが開いた状態から閉じる際に、第１構成体２若しくは第２構成体３の閉止部５の閉止部本体５１を把持して閉じることが可能であることから、閉止部５も操作部６に含まれる。
【００３７】
防水手段７は、防水手段保持部２３，３３の開口２３ｃ，３３ｃに長手方向の縁に沿って設けられる複数の帯状の遮蔽片７１，…と、防水手段保持部２３、３３の内側に保持される弾性変形可能な弾性部材７２，７２とを備える。
【００３８】
遮蔽片７１，…は、可撓性の材質で成形されており、例えば、合成樹脂やゴムなどで成形されている。遮蔽片７１，…は、防水手段保持部２３，３３に電線を沿わせた際に、電線の外周面を損傷させることなく、且つその隙間を塞ぐことを目的とする。遮蔽片７１，…は、電線端末カバー１の使用状態において、防水手段保持部２３と電線との隙間を塞ぐことにより、雨水や融雪などの水が収納部８，…に侵入することを防止する。
【００３９】
弾性部材７２，７２は、第１構成体２及び第２構成体３の防水手段保持部２３，３３の内側にそれぞれ接着されており、第１構成体２及び第２構成体３を閉じたときに、収納部８，…に装着した電線を圧縮変形することにより避けつつ、電線を装着していない他の収納部８，…との防水手段保持部２３，３３の連絡開口２３ｂ，…，３３ｂ，…を塞ぐことができる。
【００４０】
次に、同実施形態に係る電線端末カバー１の作用・効果について、図１〜４を参酌しつつ説明する。図４は、第１構成体２及び第２構成体３を開いた状態から閉じる過程を表す。
【００４１】
電柱に引留固定される高圧絶縁電線の引留部において、引留クランプの把持部より突出する高圧絶縁電線の端末に電線端末カバー１を装着する場合において、作業者の一人がこの電線の端末Ｗを絶縁ヤットコなどで把持して、その位置を固定する。２人目の作業者が第１構成体２及び第２構成体３を開いて、絶縁ヤットコで第２構成体３の操作部６を把持し、その電線の端末Ｗまで移動させる。
【００４２】
装着する電線の端末Ｗの線径を確認し、第２構成体３の３つある構成部３１，３１，３１のうちでこの電線の線径Ｗに対応する一つの構成部３１を選択する。その電線の端末Ｗを構成部３１の底部３１ｂ側に合わせ、分割円筒部３１ａ及び防水手段保持部３３に沿わせる。この状態で、３人目の作業者が第１構成体２の操作部６若しくは閉止部５を絶縁ヤットコで把持し、図４に示すように、可撓部材４を回動中心に第１構成体２を第２構成体３に向けて矢印Ｄ方向に回動させる。このようにして、第１構成体２と第２構成体３とを閉じる。閉止部５でこの第１構成体２及び第２構成体３を閉じた状態を維持させる。
【００４３】
このように、収納部８，…が異なる線径の電線Ｗに対応して複数設けられており、端末処理が必要な電線の線径Ｗに適した収納部８，…を選んで装着することができる。収納部８，…は、第１構成体２と第２構成体３とが開いた状態では、第１構成体２と第２構成体３とに分かれて形成される。この第１構成体２及び第２構成体３のいずれか一方に電線の端末Ｗを沿わせる。この状態から、第１構成体２と第２構成体３とを閉じることにより、電線の端末Ｗを沿わせた第２構成体３に第１構成体２が合わさって収納部８，…が形成される。電線の端末Ｗは、この収納部８，…の内部に収納される。すなわち、従来のように電線端末カバー１の筒芯方向Ａから収納部８，…に向けて電線の端末Ｗを挿入する必要はなく、電線をその線径に対応した収納部８，…に収納することが容易にできる。よって、電線端末カバー１に電線の端末Ｗを装着しやすくすることにより電線の端末処理の作業性を改善することができる。
【００４４】
収納部８，…が第１構成体２及び第２構成体３に分かれて形成される部分の円弧の長さが略同一の比率で形成されており、電線端末カバー１自体も第１構成体２及び第２構成体３の分割面を面対称になるように各構成を備えているため、電線の端末Ｗに対して左右方向のいずれからでも収納することができる。
【００４５】
また、操作部６を用いることにより、第１構成体２と第２構成体３との開閉操作を行うことができ、間接活線作業で導電部を有する電線の端末を覆うことができる。よって、このような間接活線作業においても、電線端末カバー１に電線の端末Ｗを装着しやすくすることにより、更に、電線の端末処理の作業性を改善することができる。
【００４６】
また、電線の端末Ｗと防水手段保持部２３，３３との間の隙間が防水手段７に塞がれるため、電線の端末Ｗと電線端末カバー１とに跨って絶縁テープを巻き付ける手間を省くことができる。よって、電線端末カバー１に電線の端末Ｗを装着しやすくすることにより、更に、電線の端末処理の作業性を改善することができる。
【００４７】
次に、本発明に係る電線端末カバーの第２実施形態について、図面を参酌しつつ、説明する。なお、第１実施形態に係る電線端末カバー１と同様の構成については、同一の符号を付すとともに、その説明を省略する。
【００４８】
＜第２実施形態＞
まず、同実施形態に係る電線端末カバーの構成について、図５〜図７を参酌しつつ説明する。図５〜図６は、同実施形態に係る電線端末カバー１００を閉じた状態を示す図である。図５（ａ）は、正面図、同図（ｂ）は、平面図、図６（ａ）は、左側面図、同図（ｂ）は、底面図である。図７は、同実施形態に係る電線端末カバー１００を閉じた状態を示す図である。同図（ａ）は、正面図、同図（ｂ）は、平面図、同図（ｃ）は、底面図、である。
【００４９】
同実施形態に係る電線端末カバー１００は、電線の外径と略同一の内径を有する円筒形状に２つの構成体の組み合わせによって形成可能な第１構成体１０２及び第２構成体１０３と、該第１構成体１０２及び該第２構成体１０３を開閉自在に連結可能な連結部４と、第１構成体１０２及び第２構成体１０３を閉じた状態で閉止可能な閉止部１０５と、所定の工具を用いて第１構成体１０２と第２構成体１０３とを開閉操作する操作部１０６と、水の浸入を防止すべく、電線の端末の形状に応じて変形可能な防水手段７とを備える。本実施形態では、第１構成体１０２、第２構成体１０３、連結部４、閉止部１０５及び操作部１０６は、一体で成形されており、電線の端末の導電部を絶縁するために合成樹脂などの絶縁性材料で成形されている。
【００５０】
第１構成体１０２及び第２構成体１０３は、それぞれ断面形状が円弧状に形成された部分を複数備え、各円弧の内面が同じ方向に向き且つ円弧の中心が同一線上に並ぶように配置されて形成されている。第１構成体１０２及び第２構成体１０３は、この円弧の内側同士を向かい合わせにして重ね合わせることにより略筒形状の収納部１０８，…を複数形成する。
【００５１】
収納部１０８，…は、異なる線径の電線に対応してその端末を収納することができるように、それぞれ異なる線径の電線に対応して複数備えている。これらの収納部１０８，…は、それぞれ筒芯方向Ａに沿って並んで設けられると共に、第１構成体１０２と第２構成体１０３とを閉じた状態で電線の端末を収納すべく、第１構成体１０２と第２構成体１０３とに分かれて形成される。本実施形態に係る収納部１０８，…は、３つの異なる電線の線径に対応しており、具体的には、公称断面積２００ｍｍ2、５８ｍｍ2、２５ｍｍ2に対応している。
【００５２】
第１構成体１０２及び第２構成体１０３は、組み合わせることによって異なる線径の電線に対応して収納可能な円筒形状の収納部１０８，…を複数形成可能な構成部１２１，…，１３１，…と、該構成部１２１，…，１３１，…の一端を接続する防水手段保持部１２３，１３３とを備える。
【００５３】
各構成部１２１，…，１３１，…は、断面形状が円弧状に形成されると共に、所定長さ連続して形成される分割円筒部１２１ａ，…，１３１ａ，…と、該分割円筒部１２１ａ，…，１３１ａ，…の筒芯方向Ａの一端部を塞ぐ底部１２１ｂ，…，１３１ｂ，…と、分割円筒部１２１ａ，…，１３１ａ，…の筒芯方向Ａの他端部に形成される開口端部１２１ｃ，…，１３１ｃ，…とを備える。分割円筒部１２１ａ，…，１３１ａ，…は、第１構成体１０２と第２構成体１０３とを組み合わせた状態では、電線の端末の外周面と当接する部分となる。底部１２１ｂ，…，１３１ｂ，…は、電線の端末の先端と当接若しくは対向する部分となる。開口端部１２１ｃ，…，１３１ｃ，…は、電線をこの収納部１０８，…から出すための開口となる部分となり、電線を通して収納部１０８，…の内部から外部に通す部分となる。本実施形態に係る第１構成体１０２及び第２構成体１０３の分割円筒部１２１ａ，…，１３１ａ，…は、断面形状が半円の円弧状に形成される。このように、分割円筒部１２１ａ，…，１３１ａ，…は、円弧の一端と他端との最短の離間距離が電線（若しくは電線の端末）の外形の直径と略同一となっている。
【００５４】
防水手段保持部１２３，１３３は、第１構成体１０２及び第２構成体１０３を閉じた状態で、収納部１０８，…に収納された電線の端末以外の部分を電線端末カバー１００の外に出すと共に、防水手段７を保持する保持部本体１２３ａ，１３３ａと、第１構成体１０２及び第２構成体１０３を閉じた状態で収納部１０８，…と保持部本体１２３ａ，１３３ａとの収納空間が連続するように形成する連絡開口１２３ｂ，１３３ｂと、該連絡開口１２３ｂ，１３３ｂが設けられた面（上面）と対向する面（下面）の略全面に設けられる開口１２３ｃ，１３３ｃとを備える。防水手段保持部１２３，１３３は、収納部１０８，…に収納された電線の端末以外の電線の部分を収納部１０８，…の外部に引き出すために、電線の端末を第１構成体１０２と第２構成体１０３との分割円筒部１２１ａ，…，１３１ａ，…に沿わせ、電線の端末以外の電線部分を分割円筒部１２１ａ，…，１３１ａ，…から連絡開口１２３ｂ，１３３ｂに跨いで開口１２３ｃ，１３３ｃまで沿わせることができるようになっている。
【００５５】
閉止部１０５は、第１構成体１０２及び第２構成体１０３の構成部１２１，…，１３１，…及び保持部本体１２３ａ，１３３ａの可撓部材４が設けられた面と対向する面に直交する方向にそれぞれが向かい合うように突出した閉止部本体１５１，１５１と、第１構成体１０２の閉止部本体１５１の第２構成体１０３と対向する面に設けられる円錐台形状の突起部１５２，１５２と、第２構成体１０３の閉止部本体１５１の第１構成体１０２と対向する面に設けられ、突起部１５２，１５２を差し込み可能な係止口１５３，１５３とを備える。なお、係止口１５３は、突起部１５２の突出量に応じた深さを有する係止穴であってもよい。
【００５６】
操作部１０６は、第１構成体１０２及び第２構成体１０３の保持部本体１２３ａ，１３３ａの外周面に設けられ、収納部１０８，…の筒芯方向Ａに沿う方向に連続的に形成されると共に、第１構成体１０２と第２構成体１０３とを分割する分割面に直角方向Ｃに突出する板状の部材である。操作部１０６は、絶縁ヤットコなどの間接活線把持工具などの工具で把持して、第１構成体１０２と第２構成体１０３とを開閉操作する。また、第１構成体１０２と第２構成体１０３とが開いた状態から閉じる際に、第１構成体１０２若しくは第２構成体１０３の閉止部１０５を把持して閉じることが可能であることから、閉止部１０５も操作部１０６に含まれる。
【００５７】
次に、同実施形態に係る電線端末カバー１００の作用・効果について、図５〜８を参酌しつつ説明する。図８は、第１構成体１０２及び第２構成体１０３を開いた状態から閉じる過程を表す。
【００５８】
電柱に引留固定される高圧絶縁電線の引留部において、引留クランプの把持部より突出する高圧絶縁電線の端末に電線端末カバー１００を装着する場合において、作業者の一人がこの電線の端末Ｗを絶縁ヤットコなどで把持して、その位置を固定する。２人目の作業者が第１構成体１０２及び第２構成体１０３を開いて、絶縁ヤットコで第２構成体１０３の操作部１０６を把持し、その電線の端末Ｗまで移動させる。
【００５９】
装着する電線の端末Ｗの線径を確認し、第２構成体１０３の３つある構成部１３１，…のうちでこの電線の線径に対応する構成部１３１を選択する。その電線の端末Ｗを構成部１３１の底部１３１ｂ側に合わせ、分割円筒部１３１ａ及び防水手段保持部１３３に沿わせる。この状態で、３人目の作業者が第１構成体１０２の操作部１０６若しくは閉止部１０５を絶縁ヤットコで把持し、図８に示すように、可撓部材４を回動中心に第１構成体１０２と第２構成体１０３に向けて矢印Ｄ方向に回動させる。このようにして、第１構成体１０２と第２構成体１０３とを閉じる。閉止部１０５でこの第１構成体１０２及び第２構成体１０３を閉じた状態を維持させる。
【００６０】
このように、収納部１０８，…が異なる線径の電線に対応して複数設けられており、端末処理が必要な電線の線径Ｗに適した収納部１０８，…を選んで装着することができる。収納部１０８，…は、第１構成体１０２と第２構成体１０３とが開いた状態では、第１構成体１０２と第２構成体１０３とに分かれて形成される。この第１構成体１０２及び第２構成体１０３のいずれか一方に電線の端末Ｗを沿わせる。この状態から、第１構成体１０２と第２構成体１０３とを閉じることにより、電線の端末Ｗを沿わせた第２構成体１０３に第１構成体１０２が合わさって収納部１０８，…が形成される。電線の端末Ｗは、この収納部１０８，…の内側に収納される。すなわち、従来のように電線端末カバー１００の筒芯方向Ａから収納部１０８，…に向けて電線の端末Ｗを挿入する必要はなく、電線をその線径に対応した収納部１０８，…に収納することが容易にできる。よって、電線端末カバー１００に電線の端末Ｗを装着しやすくすることにより電線の端末処理の作業性を改善することができる。
【００６１】
複数の収納部１０８，…は、異なる線径の電線に対応して、筒芯方向Ａに沿って設けられる。このように、収納部１０８，…は、電線の端末Ｗを装着した状態で、電線の端末Ｗの延長線上に沿って設けられる。すなわち、収納部１０８，…の筒芯方向と直交する幅方向Ｂに拡がることがないため、省スペースとすることができる。
【００６２】
収納部１０８，…が第１構成体１０２及び第２構成体１０３に分かれて形成される部分の円弧の長さが略同一の比率で形成されており、電線端末カバー１００自体も第１構成体１０２及び第２構成体１０３の分割面を面対称になるように各構成を備えているため、電線の端末Ｗに対して左右方向のいずれからでも収納することができる。
【００６３】
また、操作部１０６を用いることにより、第１構成体１０２と第２構成体１０３との開閉操作を行うことができ、間接活線作業で導電部を有する電線の端末Ｗを覆うことができる。よって、このような間接活線作業においても、電線端末カバー１００に電線の端末Ｗを装着しやすくすることにより、更に、電線の端末処理の作業性を改善することができる。
【００６４】
また、電線の端末Ｗと防水手段保持部１２３，１３３との間の隙間が防水手段７に塞がれるため、電線の端末Ｗと電線端末カバー１００とに跨って絶縁テープを巻き付ける手間を省くことができる。よって、電線端末カバー１００に電線の端末Ｗを装着しやすくすることにより、更に、電線の端末処理の作業性を改善することができる。
【００６５】
次に、本発明に係る電線端末カバーの第３実施形態について、図面を参酌しつつ、説明する。なお、第１実施形態に係る電線端末カバー１と同様の構成については、同一の符号を付すとともに、その説明を省略する。
【００６６】
＜第３実施形態＞
まず、同実施形態に係る電線端末カバーの構成について、図９〜図１０を参酌しつつ説明する。図９は、同実施形態に係る電線端末カバー２００を開いた状態を示す図である。同図（ａ）は、正面図、同図（ｂ）は、平面図、同図（ｃ）は、左側面図、である。図１０は、同実施形態に係る電線端末カバー２００を閉じた状態を示す図である。同図（ａ）は、正面図、同図（ｂ）は、平面図、である。
【００６７】
同実施形態に係る電線端末カバー２００は、電線の外径と略同一の内径を有する円筒形状に２つの構成体の組み合わせによって形成可能な第１構成体２０２及び第２構成体２０３と、該第１構成体２０２及び該第２構成体２０３を開閉自在に連結可能な連結部４と、第１構成体２０２及び第２構成体２０３を閉じた状態で閉止可能な閉止部５と、所定の工具を用いて第１構成体２０２と第２構成体２０３とを開閉操作する操作部６と、水の浸入を防止すべく、電線の端末の形状に応じて変形可能な防水手段７とを備える。
【００６８】
第１構成体２０２及び第２構成体２０３は、それぞれ断面形状が円弧状に形成された部分を複数備え、各円弧の内面が同じ方向に向き且つ円弧の一端及び他端がすべて同一直線上に並ぶように配置されて形成されている。第１構成体２０２及び第２構成体２０３は、この円弧の内側同士を向かい合わせにして重ね合わせることにより略筒形状の収納部２０８，…を複数形成する。
【００６９】
収納部２０８，…は、異なる線径の電線に対応してその端末を収納することができるように、それぞれ異なる線径の電線に対応して複数備えている。これらの収納部２０８，…は、それぞれ筒芯方向と直交する幅方向Ｂに並んで設けられると共に、第１構成体２０２と第２構成体２０３とを閉じた状態で電線の端末を収納すべく、第１構成体２０２と第２構成体２０３とに分かれて形成される。
【００７０】
第１構成体２０２及び第２構成体２０３は、組み合わせることによって異なる線径の電線に対応して収納可能な円筒形状の収納部２０８，…を複数形成可能な構成部２２１，…，２３１，…と、該構成部２２１，…，２３１，…の強度を隣接する構成部２２１，…，２３１，…と相互に補い合うべく構成部２２１，…，２３１，…の側面と隣接する構成部２２１，…，２３１，…の側面とを結合する補強部２２２，…，２３２，…と、複数の構成部２２１，…，２３１，…の一端を筒芯方向と直交する幅方向Ｂに並べて接続する防水手段保持部２２３，…，２３３，…とを備える。
【００７１】
各構成部２２１，…，２３１，…は、断面形状が円弧状に形成されると共に、所定長さ連続して形成される分割円筒部２２１ａ，…，２３１ａ，…と、該分割円筒部２２１ａ，…，２３１ａ，…の筒芯方向Ａの一端部を塞ぐ底部２２１ｂ，…，２３１ｂ，…と、分割円筒部２２１ａ，…，２３１ａ，…の筒芯方向Ａの他端部に形成される開口端部２２１ｃ，…，２３１ｃ，…とを備える。
【００７２】
第１構成体２０２及び第２構成体２０３の分割円筒部２２１ａ，…，２３１ａ，…は、第１構成体２０２と第２構成体２０３とに分かれて形成される部分の円弧の長さが異なる比率で形成される。本実施形態の第１構成体２０２及び第２構成体２０３の分割円筒部２２１ａ，…，２３１ａ，…は、２対１の比率で形成される。このように、第１構成体２０２の分割円筒部２２１ａ，…，２３１ａ，…は、円弧の一端と他端との最短の離間距離が電線（若しくは電線の端末）の外形の直径よりも狭くなっている。第１構成体２０２及び第２構成体２０３のうち円弧の長さが長い第１構成体２０２は、少なくとも弾性変形可能な材質で成形される。なお、第１構成体２０２と第２構成体２０３の分割円筒部２２１ａ，…，２３１ａ，…は、２対１の比率に限定されるものではなく、適宜変更可能である。
【００７３】
補強部２２２，…，２３２，…は、分割円筒部２２１ａ，…，２３１ａ，…の筒芯方向Ａの縁とその隣り合う分割円筒部２２１ａ，…，２３１ａ，…の縁とを、開口端部２２１ｃ，…，２３１ｃ，…側から底部２２１ｂ，…，２３１ｂ，…側に向かって分割円筒部２２１ａ，…，２３１ａ，…と面する範囲を結合する。補強部２２２，…は、分割円筒部２２１ａ，…，２３１ａ，…と隣接する他の分割円筒部２２１ａ，…，２３１ａ，…とを結合することにより、剛性が高くなっている。
【００７４】
防水手段保持部２２３，２３３は、第１構成体２０２及び第２構成体２０３を閉じた状態で、収納部２０８，…に収納された電線の端末以外の部分を電線端末カバー２００の外に出すと共に、防水手段７を保持する保持部本体２２３ａ，２３３ａと、第１構成体２０２及び第２構成体２０３とを閉じた状態で収納部２０８，…と保持部本体２２３ａ，２３３ａとの収納空間が連続するように形成する連絡開口２２３ｂ，２３３ｂと、該連絡開口２２３ｂ，２３３ｂが設けられた面（上面）と対向する面（下面）の略全面に設けられる開口２２３ｃ，２３３ｃとを備える。防水手段保持部２２３，２３３は、収納部２０８，…に収納された電線の端末以外の電線の部分を収納部２０８，…の外部に出すために、電線の端末を第１構成体２０２と第２構成体２０３との分割円筒部２２１ａ，…，２３１ａ，…に沿わせ、電線の端末以外の電線部分を分割円筒部２２１ａ，…，２３１ａ，…から連絡開口２２３ｂ，２３３ｂに跨いで開口２２３ｃ，２３３ｃまで沿わせることができるようになっている。
【００７５】
次に、同実施形態に係る電線端末カバー２００の作用・効果について、図９〜１１を参酌しつつ説明する。図１１は、第１構成体２０２及び第２構成体２０３を開いた状態から閉じる過程を表す。電柱に引留固定される高圧絶縁電線の引留部において、引留クランプの把持部より突出する高圧絶縁電線の端末Ｗに電線端末カバー２００を装着する場合において、作業者の一人がこの電線の端末Ｗを絶縁ヤットコなどで把持して、その位置を固定する。２人目の作業者が第１構成体２０２及び第２構成体２０３を開いて、絶縁ヤットコで第２構成体２０３の操作部６を把持し、その電線の端末Ｗまで移動させる。
【００７６】
装着する電線の端末Ｗの線径を確認し、第２構成体２０３の３つある構成部２３１，…のうちでこの電線の線径に対応する構成部２３１を選択する。その電線の端末Ｗを構成部２３１の底部２３１ｂ側に合わせ、分割円筒部２３１ａの両縁を弾性変形させて、分割円筒部２３１ａ及び防水手段保持部２３３に沿わせる。電線の端末Ｗは、分割円筒部２３１ａの両縁が弾性変形から復帰することによって、分割円筒部２３１ａの両縁の最短直線距離が直径より狭くなり、分割円筒部２３１ａ，…の内部に保持される。この状態で、２人目の作業者が電線の端末Ｗを離して、第２構成体２０３の操作部６若しくは閉止部５を絶縁ヤットコで把持し、可撓部材４を回動中心に第１構成体２０２と第２構成体２０３とを閉じる。閉止部５でこの第１構成体２０２及び第２構成体２０３を閉じた状態を維持させる。
【００７７】
このように、収納部２０８，…が異なる線径の電線に対応して複数設けられており、端末処理が必要な電線の線径に適した収納部２０８，…を選んで装着することができる。収納部２０８，…は、第１構成体２０２と第２構成体２０３とが開いた状態では、第１構成体２０２と第２構成体２０３とに分かれて形成される。この第１構成体２０２及び第２構成体２０３のいずれか一方に電線の端末Ｗを沿わせる。この状態から、第１構成体２０２と第２構成体２０３とを閉じることにより、電線の端末Ｗを沿わせた第２構成体２０３に第１構成体２０３が合わさって収納部２０８，…が形成される。電線の端末Ｗは、この収納部２０８，…の内部に収納される。すなわち、従来のように電線端末カバー２００の筒芯方向Ａから収納部２０８に向けて電線の端末Ｗを挿入する必要はなく、電線の端末Ｗをその線径に対応した収納部２０８，…に収納することが容易にできる。よって、電線端末カバー２００に電線の端末Ｗを装着しやすくすることにより電線の端末処理の作業性を改善することができる。
【００７８】
また、第１構成体２０２と第２構成体２０３とに分かれて形成される部分の円弧の長さの比率が異なるため、少なくとも第１構成体２０２及び第２構成体２０３のうち円弧の長さが長い第１構成体２０２の分割円筒部２２１ａ，…が電線の端末Ｗを少なくとも中心角１８０度以上の外周面で覆うことができる。この円弧の長さが長い第１構成体２０２の分割円筒部２２１ａ，…は、円弧の一端と他端との離間距離が電線の直径より短く形成される。この円弧の長さが長い第１構成体２０２の分割円筒部２２１ａ，…は、弾性変形可能であるため、この離間距離を拡げる方向に弾性変形させることにより、この円弧の長さが長い第１構成体２０２の分割円筒部２２１ａ，…に電線の端末Ｗを沿わせることができる。円弧の長さの長い第１構成体２０２の分割円筒部２２１ａ，…がこの状態から弾性変形前に戻ることにより、円弧の一端と他端との離間距離が電線の直径より再び短くなるため、この円弧の長さの長い第１構成体２０２の分割円筒部２２１ａ，…に沿わせた電線の端末Ｗが抜け落ちるのを防止できる。作業者は、その第１構成体２０２に電線の端末Ｗを沿わせて一方の第１構成体２０２と他方の第２構成体２０３とを閉じることによって電線の端末Ｗを電線端末カバー２００に装着するまでの間、電線の端末Ｗを保持し続ける必要がなくなる。よって、電線端末カバー２００に電線の端末Ｗを装着しやすくすることにより電線の端末処理の作業性を改善することができる。
【００７９】
なお、同実施形態に係る電線端末カバー２００は、第１構成体２０２及び第２構成体２０３のうち円弧の長さが長い第１構成体２０２の分割円筒部２２１ａが弾性変形可能な材質で成形される例を説明したが、これに限定されるものではない。第１構成体２０２及び第２構成体２０３のうち円弧の長さが長い第１構成体２０２の分割円筒部２２１ａ，…の中心角１８０度以上の円弧の範囲が弾性変形可能な材質で成形されておればよい。また、この第１構成体２２１の分割円筒部２２１ａ，…の弾性変形の際に、隣接する分割円筒部２２１ａ，…とを接続する補強部２２２，…がその妨げとなる場合、この補強部も弾性変形可能な材質で成形してもよく、又は、補強部を設けなくてもよい。
【００８０】
また、同実施形態に係る電線端末カバー２００は、収納部２０８，…が筒芯方向と直交する方向Ｂに並んで設けられ、第１構成体２０２と第２構成体２０３とに分かれて形成される部分の円弧の長さが異なる比率で形成される例を説明したが、これに限定されるものではない。第２実施形態に示すように、収納部２０８，…が筒芯方向Ａに沿って並んで設けられ、第１構成体と第２構成体とに分かれて形成される部分の円弧の長さが異なる比率で形成されるようにしてもよい。
【００８１】
なお、本発明は、上記実施形態に限定されず、本発明の要旨を逸脱しない範囲でさまざまな変更が可能である。
【００８２】
上記第１〜第３実施形態に係る電線端末カバー１，１００，２００は、防水手段保持部２３，３３，１２３，１３３，２２３，２３３の側面に形成される板状の操作部６，６で第１構成体２，１０２，２０２と第２構成体３，１０３，２０３とを開閉操作する例を説明したが、これに限定されるものではない。たとえば、図１２に示すように、操作部３０６は、第１構成体２及び第２構成体３の保持部本体２３ａ，３３ａの閉止部５側の外周面に設けられ、且つ、絶縁操作棒の先端に設けられる間接活線把持工具の先端を挿入可能な凹部３０６が設けられるものであってもよい。なお、図１２は、電線端末カバー３００を閉じた状態を示す図である。同図（ａ）は、正面図、同図（ｂ）は、平面図、である。
【００８３】
このように、間接活線把持工具の先端を凹部３０６に挿入することにより、間接活線把持工具の開閉と連動して、第１構成体２及び第２構成体３の開閉を操作することができる。よって、このような間接活線作業においても、電線端末カバー３００に電線の端末Ｗを装着しやすくすることにより、更に、電線の端末処理の作業性を改善することができる。なお、操作部３０６は、凹部３０６に限定されるものではなく、間接活線把持工具の先端が第１構成体２と第２構成体３とを開閉する方向に係止可能であれば、例えば、鍵状（Ｌ状形状）であってもよい。
【００８４】
上記第１及び第３実施形態に係る電線端末カバー１，２００は、異なる電線の線径に応じた複数の収納部８，…，２０８，…が筒芯方向と直交する方向Ｂに所定距離を離して並んで設けられる例を説明したが、これに限定されるものではない。複数の収納部がそれぞれ独立して形成されておらず、筒芯方向と直交する方向Ｂにつながっていてもよい。よって、本実施形態のように収納部を独立して形成されないが、このように構成することにより、電線端末カバーの幅方向の長さを短縮することができる。
【００８５】
上記第１〜第３実施形態に係る電線端末カバー１，１００，２００は、高圧絶縁電線の端末を覆う例を説明したが、これに限定されるものではない。例えば、電力用、通信用及び配電用電線等の電線の端末に適用してもよい。また、その際、電線の線径が丸形の断面形状を有する電線に限定されるものではない。例えば、断面形状が平形や長円形の電線であって、略筒形状に形勢された収納部にも適用することができる。このとき、収納部の断面形状も円筒形状ではなく、この断面形状に合わせて適宜変更してもよい。また、ここでいう電線には、導体に絶縁体を覆うものに加え、導体に絶縁体と保護被覆を覆うケーブルも含まれるものとする。
【００８６】
上記第１〜第３実施形態に係る電線端末カバー１，１００，２００は、複数の収納部８，１０８，２０８の開口部に弾性部材収納部２３，３３，１２３，１３３，２２３，２３３を備える例を説明したが、これに限定されるものではない。複数の収納部は、異なる線径の電線に対応して、筒芯方向と直交する方向に並んで設けられる。このように、いずれの収納部に電線を装着しても、他の収納部を跨ぐことなく、収納部の開口端部と電線の外周面との間に隙間が空くことのないようにすることができ、他の収納部を切断する必要もない。よって、防水手段保持部を備えない場合で電線端末カバーの開口端部と電線とに絶縁テープを巻き付けるような場合であっても容易に行うことができる。
【００８７】
また、電線端末カバーが複数の収納部を備え、弾性部材収納部を備えなくてもよい。この場合、遮蔽片を各収納部の開口端部に設けることで防水手段を構成することができる。また、閉止部及び操作部を収納部に直接接続することにより、その作業・効果を満たすことができる。
【００８８】
上記第１〜第３実施形態に係る電線端末カバー１，１００，２００は、連結部４が第１構成体２，１０２，２０２と第２構成体３，１０３，２０３とを開閉可能に連結する可撓部材４を備える例を説明したが、これに限定されるものではない。例えば、筒芯方向の長さが最も長い第１構成体２及び第２構成体３の分割円筒部２１ａ，…，３１ａ，…の側面に複数箇所設けられる蝶番４，…接続することにより、開閉可能に連結してもよい。
【符号の説明】
【００８９】
１…電線端末カバー、２…第１構成体、２１…構成部、２１ａ…分割円筒部、２１ｂ…底部、２１ｃ…開口端部、２２…補強部、２３…防水手段保持部、２３ａ…保持部本体、２３ｂ…連絡開口、２３ｃ…開口、３…第２構成体、３１…構成部、３１ａ…分割円筒部、３１ｂ…底部、３１ｃ…開口端部、３２…補強部、３３…防水手段保持部、３３ａ…保持部本体、３３ｂ…連絡開口、３３ｃ…開口、４…連結部（可撓部材）、５…閉止部、５１…閉止部本体、５２…突起部、５３…係止口、６…操作部、７…防水手段、７１…遮蔽片、７２…弾性部材、８…収納部、１００…電線端末カバー、１０２…第１構成体、１２１…構成部、１２１ａ…分割円筒部、１２１ｂ…底部、１２１ｃ…開口端部、１２３…防水手段保持部、１２３ａ…保持部本体、１２３ｂ…連絡開口、１２３ｃ…開口、１０３…第２構成体、１３１…構成部、１３１ａ…分割円筒部、１３１ｂ…底部、１３１ｃ…開口端部、１３３…防水手段保持部、１３３ａ…保持部本体、１３３ｂ…連絡開口、１３３ｃ…開口、１０５…閉止部、１５１…閉止部本体、１５２…突起部、１５３…係止口、１０６…操作部、１０８…収納部、２００…電線端末カバー、２０２…第１構成体、２２１…構成部、２２１ａ…分割円筒部、２２１ｂ…底部、２２１ｃ…開口端部、２２２…補強部、２２３…防水手段保持部、２２３ａ…保持部本体、２２３ｂ…連絡開口、２２３ｃ…開口、２０３…第２構成体、２３１…構成部、２３１ａ…分割円筒部、２３１ｂ…底部、２３１ｃ…開口端部、２３２…補強部、２３３…防水手段保持部、２３３ａ…保持部本体、２３３ｂ…連絡開口、２３３ｃ…開口、２０８…収納部、３００…電線端末カバー、３０６…操作部（凹部）、４００…電線端末カバー、４０１…収納部、４０２…開口部、４０３…底部、Ａ…筒芯方向、Ｂ…（筒芯方向と直交する）幅方向、Ｃ…分割面に直交する方向、Ｄ…回動方向、Ｗ…電線の端末
【図１】
2011193599.tif 000003
【図２】
2011193599.tif 000004
【図３】
2011193599.tif 000005
【図４】
2011193599.tif 000006
【図５】
2011193599.tif 000007
【図６】
2011193599.tif 000008
【図７】
2011193599.tif 000009
【図８】
2011193599.tif 000010
【図９】
2011193599.tif 000011
【図１０】
2011193599.tif 000012
【図１１】
2011193599.tif 000013
【図１２】
2011193599.tif 000014
【図１３】
2011193599.tif 000015